(57)【要約】      （修正有）【課題】人体の器官を傷つけやすく、長く使うと実際の人体への興味が薄れてしまうという欠点を克服し、女性の自慰に顕著な効果をもたらす女性用マッサージ器具を提供する。【解決手段】ケーシング１は中空体で、駆動手段はケーシング内に設けられる。ケーシングの下端の外壁に、軟質カップ体４の上端口および軟質ピストン５の上端口の順で上から下に取付けられ、軟質ピストンは軟質カップ体内に設けられると共に、軟質ピストンと軟質カップ体との間に負圧領域８が形成される。ケーシングの底端面には貫通穴が設けられる。スライダ３の上端は駆動手段に接続され、スライダの下端は貫通穴から延出した後に軟質カップ体に貫設され、スライダの下端縁は直立配設されたシリコンラバーロッド６の上端に緊着固定されており、スライダが軟質ピストンに貫設されている部位には横方向フランジ３３が設けられる。横方向フランジ上にはバルブ手段が設けられる。【選択図】図１
0003188962.tif 000002
【実用新案登録請求の範囲】
【請求項１】
女性用マッサージ器具であって、ケーシングと、軟質カップ体と、軟質ピストンと、スライダと、シリコンラバーロッドと、駆動手段とを備えており、ケーシングは中空体であり、駆動手段はケーシング内に設けられており、
ケーシングの下端の外壁には、軟質カップ体の上端口および軟質ピストンの上端口の順で上から下にそれらが取付けられており、軟質ピストンは軟質カップ体内に設けられるとともに、軟質ピストンと軟質カップ体との間には負圧領域が形成され、
駆動手段は直立配設されたスライダに動力を提供するものであり、スライダの上端は駆動手段に接続されており、スライダの下端は軟質ピストンに貫設されるとともに緊着固定されており、スライダの下端縁は直立配設されたシリコンラバーロッドの上端に緊着固定されており、
軟質カップ体の下端の中心部位には貫通口が設けられており、前記貫通口の位置の上昇により軟質カップ体の下段部に前記貫通口に向けて湾曲する円弧状収斂部が形成され、しかも前記円弧状収斂部の底縁は下方に突出して環状の底部リングを形成しており、
スライダが軟質ピストンに貫設されている部位には横方向フランジが設けられており、前記横方向フランジ上にはバルブ手段が設けられている、ことを特徴とする女性用マッサージ器具。
【請求項２】
ケーシングの下端と軟質カップ体の上端口はねじ溝またはねじ溝付きリングにより結合されている、ことを特徴とする請求項１に記載の女性用マッサージ器具。
【請求項３】
軟質カップ体の上端には突起したシールリングが設けられている、ことを特徴とする請求項１に記載の女性用マッサージ器具。
【請求項４】
ケーシングの下端と軟質ピストンの上端口とは嵌接されており、前記シールリングは軟質ピストンの上端口の外壁上に圧接されており、軟質カップ体の上端口と軟質ピストンの上端口とが密封状態となっている、ことを特徴とする請求項１に記載の女性用マッサージ器具。
【請求項５】
スライダの下端縁およびシリコンラバーロッドの上端はねじ溝により螺着されている、ことを特徴とする請求項１に記載の女性用マッサージ器具。
【請求項６】
前記バルブ手段は前記フランジに貫通する通気孔と空気弁とを備えており、空気弁は通気孔上に可動的に対応して設けられている、ことを特徴とする請求項１に記載の女性用マッサージ器具。
【考案の詳細な説明】
【技術分野】
【０００１】
本考案は保健器具に関し、具体的には女性用マッサージ器具に関する。
【背景技術】
【０００２】
生活の歩調が速くなるにつれ、女性の自慰のニーズも多くなってきている。従来の女性用マッサージ器具製品では、シリコンラバーロッドの振動または挿入動作において、摩擦を高めるために、シリコンラバーロッドを大きくすることが多かった。しかしこれでは人体の器官を傷つけやすく、効果も理想的ではなく、長く使うと実際の人への興味が薄れてしまう。
【考案の概要】
【考案が解決しようとする課題】
【０００３】
本考案の主旨は従来技術における上記欠点を克服し、女性の自慰に顕著な効果をもたらす女性用マッサージ器具を提供するものである。
【課題を解決するための手段】
【０００４】
上記目的を実現するための、本考案の技術的思想は以下のとおりである。
【０００５】
本考案の女性用マッサージ器具の構成では、ケーシングと、軟質カップ体と、軟質ピストンと、スライダと、シリコンラバーロッドと、駆動手段とを備えている。ケーシングは中空体であり、駆動手段はケーシング内に設けられている。
【０００６】
ケーシングの下端の外壁には、軟質カップ体の上端口および軟質ピストンの上端口の順で上から下にそれらが取付けられており、軟質ピストンは軟質カップ体内に設けられるとともに、軟質ピストンと軟質カップ体との間には負圧領域が形成される。
【０００７】
駆動手段は直立配設されたスライダに動力を提供するものであり、スライダの上端は駆動手段に接続されており、スライダの下端は軟質ピストンに貫設されるとともに緊着固定されており、スライダの下端縁は直立配設されたシリコンラバーロッドの上端に緊着固定されている。
【０００８】
軟質カップ体の下端の中心部位には貫通口が設けられており、前記貫通口の位置の上昇により軟質カップ体の下段部に前記貫通口に向けて湾曲する円弧状収斂部が形成され、円弧状収斂部の特徴は「Ｗ」形状とほぼ見なすことができ、しかも前記円弧状収斂部の底縁は下方に突出して環状の底部リングを形成しているとこである。
【０００９】
シリコンラバーロッドは前記貫通口に非密着接合として貫設されており、シリコンラバーロッドは貫通口を貫通するものの、シリコンラバーロッドの寸法は貫通口の直径未満である。
【００１０】
スライダが軟質ピストンに貫設されている部位には横方向フランジが設けられており、前記横方向フランジ上にはバルブ手段が設けられている。
【００１１】
上記技術的思想についてさらに詳細に説明する。
【００１２】
ケーシングの下端と軟質カップ体の上端口はねじ溝またはねじ溝付きリングにより結合されている。
【００１３】
軟質カップ体の上端には突起したシールリングが設けられている。
【００１４】
ケーシングの下端と軟質ピストンの上端口とは嵌接されており、前記シールリングは同時に軟質ピストンの上端口の外壁上に圧接されている。
【００１５】
スライダの下端縁およびシリコンラバーロッドの上端はねじ溝により螺着されている。
【００１６】
前記バルブ手段は前記フランジに貫通する通気孔と空気弁とを備えており、空気弁は通気孔上に可動的に対応して設けられている。
【００１７】
駆動手段には、その動作を制御するコントローラが対応して設けられている。
【００１８】
ケーシング上には、使用時に本考案の女性用マッサージ器具を人体の関連するマッサージ部位に接触させやすくするためのハンドルが設けられている。
【００１９】
本考案の動作原理は以下のとおりである。
【００２０】
使用時、軟質カップ体を人体の器官に密着させた後、コントローラで駆動手段の回転数を調節して、駆動手段によりスライダを上下往復運動させる。スライダが上方運動するとき、通気孔が空気弁により閉じられて、軟質ピストンと軟質カップ体４との間に負圧領域が形成され、軟質カップ体が内側に収縮するように変形し、人体の器官に対して動的な負圧マッサージが発生するものであり、軟質カップ体の環状の底部リングは負圧が変化する作用により人体の部位に沿って上下移動する。移動方向はシリコンラバーロッドの移動方向と逆方向となり、上下移動する負圧リング面が発生する。上方移動時には軟質カップ体と人体との接触面積が大きくなり、負圧および負圧リング面のいずれもが増大することなる。逆では減少する。スライダが下方運動するとき、軟質ピストンと軟質カップ体との間の気圧が増して、空気弁が開き、空気が通気孔を介して排出されるという動作が繰り返される。ハンドルは本装置を把持するためものである。
【考案の効果】
【００２１】
同様の従来技術に比べて、本考案の有益な効果は次のとおりである。１．軟質ピストンの運動により生じる負圧により、軟質カップ体底部が接触する人体陰部に動的な負圧マッサージが発生するものであり、発生した上下移動する負圧リングによって、人体器官とシリコンラバーロッドとの間の摩擦が増大することから、大きめのシリコンラバーロッドを使用することなく、小さめのシリコンラバーロッドを使用することができ、人体の器官を保護するのに役立ち、そして軟質カップ体の環状の底部リングが接触するリング点に発生する上下移動する負圧リングにより、陰部に動的な負圧マッサージが行われて、ホルモンの分泌を促進し、人体の機能を整えて、女性の自慰に顕著な効果をもたらす。２．製品は取外し洗浄がしやすく、使用に便利である。
【図面の簡単な説明】
【００２２】
【図１】本考案の概略図。
【図２】バルブ手段の概略図。
【図３】図２の平面図。
【考案を実施するための形態】
【００２３】
以下にて図面を合わせて本考案の具体的な実施形態を紹介する。
【００２４】
図１および図２に示すように、本考案の女性用マッサージ器具は、ケーシング１と、軟質カップ体４と、軟質ピストン５と、スライダ３と、シリコンラバーロッド６と駆動手段とを備えている。ケーシング１は中空体であって、駆動手段はケーシング１内に設けられている。駆動手段はモータと伝動手段とを備えており、伝動手段はモータの回転運動を往復運動に変換することで、スライダ３を上下動させる。
【００２５】
ケーシング１の下端の外壁には、軟質カップ体４の上端口および軟質ピストン５の上端口の順で上から下にそれらが取付けられており、軟質ピストン５は軟質カップ体４内に設けられるとともに、軟質ピストン５と軟質カップ体４との間には負圧領域８が形成されている。
【００２６】
駆動手段は直立配設されたスライダ３に動力を提供するものであり、スライダ３の上端は駆動手段に接続されており、スライダ３の下端は軟質ピストン５に貫設されるとともに緊着固定されており、スライダ３の下端縁は直立配設されたシリコンラバーロッド６の上端に緊着固定されている。
【００２７】
軟質カップ体４の下端の中心部位には貫通口４１が設けられており、前記貫通口４１の位置の上昇により軟質カップ体４の下段部に前記貫通口４１に向けて湾曲する円弧状収斂部４３が形成され、円弧状収斂部４３の特徴は「Ｗ」形状とほぼ見なすことができ、しかも前記円弧状収斂部４３の底縁は下方に突出して環状の底部リング４４を形成しているところである。
【００２８】
シリコンラバーロッド６は前記貫通口４１に非密着接合として貫設されており、シリコンラバーロッドは貫通口を貫通するものの、シリコンラバーロッドの寸法は貫通口の直径未満である。
【００２９】
スライダ３が軟質ピストン５に貫設されている部位には横方向フランジ３３が設けられており、前記横方向フランジ３３上にはバルブ手段が設けられている。
【００３０】
ケーシング１の下端と軟質カップ体４の上端口はねじ溝またはねじ溝付きリングにより結合されている。
【００３１】
軟質カップ体４の上端には突起したシールリング４２が設けられている。
【００３２】
ケーシング１の下端と軟質ピストン５の上端口とは嵌接されており、前記シールリング４２は軟質ピストン５の上端口の外壁上に圧接されている。
【００３３】
スライダ３の下端縁およびシリコンラバーロッド６の上端はねじ溝により螺着されている。
【００３４】
前記バルブ手段は前記フランジ３３に貫通する通気孔３２と空気弁３１とを備えており、空気弁３１は通気孔３２（上）に可動的に対応して設けられている。空気弁３１はリード弁形状をなしており、通気孔３２を可動的に塞ぎ、空気弁３１はねじ３４により前記横方向フランジ３３上に固定されている。
【００３５】
駆動手段には、その動作を制御するコントローラ２が対応して設けられている。
【００３６】
ケーシング１上には、使用時に本考案の女性用マッサージ器具を人体の関連するマッサージ部位に接触させやすくするためのハンドル７が設けられている。
【００３７】
軟質カップ体４および軟質ピストン５の材質はラバーまたはシリコンラバーである。
【００３８】
以上具体的な実施形態は単に説明に過ぎず本考案を限定するものではなく、本考案の技術的思想を基にして、改変および変換を行うことができる。およそ本考案の技術的思想に基づきなされた同等の変化または付加は、いずれも本考案の保護範囲に属するものである。
【符号の説明】
【００３９】
１ ケーシング
２ コントローラ
３ スライダ
３１ 空気弁
３２ 通気孔
３３ 横方向フランジ
３４ ねじ
４ 軟質カップ体
４１ 貫通口
４２ シールリング
４３ 円弧状収斂部
４４ 底部リング
５ 軟質ピストン
６ シリコンラバーロッド
７ ハンドル
８ 負圧領域
【図１】
0003188962.tif 000003
【図２】
0003188962.tif 000004
【図３】
0003188962.tif 000005